(57)【要約】【課題】利用ユーザー間で異なる退出時刻に対応した楽曲順で演奏可能なカラオケ装置を提供する。【解決手段】本発明に係るカラオケ装置は、取得したユーザー情報に含まれる自宅位置関連情報と、店舗位置関連情報に基づいて、ユーザーの終電時刻と、終電時刻に対応した退出時刻を取得する時刻取得処理と、入力手段からログインしたユーザーによって楽曲が指定された場合、指定したユーザーのユーザー識別情報と、指定された楽曲に対応する楽曲識別情報を含む予約情報を予約テーブルに記憶させる楽曲指定処理と、時刻取得処理で取得したユーザーの退出時刻に基づいて、予約テーブルにおける当該ユーザーに対応した予約情報の順序を変更する演奏順序変更処理を実行する。【選択図】図１１
2013190764.tif 000002
【特許請求の範囲】
【請求項１】
入力手段と、演奏手段と、制御手段を備えたカラオケ装置であって、
入力手段は、ユーザーからの各種入力を受付可能とし、
演奏手段は、演奏情報に基づいて演奏を実行可能とし、
制御手段は、
入力手段から入力されるユーザー識別情報に基づいてユーザーをログインさせるとともに、自宅位置関連情報を含むユーザー情報を取得するログイン処理と、
取得したユーザー情報に含まれる自宅位置関連情報と、店舗位置関連情報に基づいて、ユーザーの終電時刻と、終電時刻に対応した退出時刻を取得する時刻取得処理と、
入力手段からログインしたユーザーによって楽曲が指定された場合、指定したユーザーのユーザー識別情報と、指定された楽曲に対応する楽曲識別情報を含む予約情報を予約テーブルに記憶させる楽曲指定処理と、
時刻取得処理で取得したユーザーの退出時刻に基づいて、予約テーブルにおける当該ユーザーに対応した予約情報の順序を変更する演奏順序変更処理と、
予約テーブルに記憶する予約情報に基づいて、演奏手段に演奏を実行させる演奏処理と、を実行することを特徴とする
カラオケ装置。
【請求項２】
演奏順序変更処理は、ユーザーによって指定され、演奏手段で演奏される楽曲数が、当該ユーザーがログインした時刻から退出時刻までの利用時間に応じた楽曲数となるように予約情報の順序を変更することを特徴とする
請求項１に記載のカラオケ装置。
【請求項３】
演奏順序変更処理は、ユーザーの退出時刻から所定時間前から実行されることを特徴とする
請求項２に記載のカラオケ装置。
【請求項４】
演奏順序変更処理は、ユーザーによって指定された楽曲に対応する演奏情報が、当該ユーザーの退出時刻の直前に演奏終了するように予約情報の順序を変更することを特徴とする
請求項１に記載のカラオケ装置。
【請求項５】
演奏情報変更処理において、ユーザーによって指定された楽曲に対応する予約情報が予約テーブルにない場合、当該ユーザーに対して楽曲の予約を促す楽曲催促処理を実行することを特徴とする
請求項４に記載のカラオケ装置。
【請求項６】
時刻取得処理で取得した終電時刻を、対応するユーザーに告知する終電告知処理を実行することを特徴とする
請求項１から請求項５の何れか１項に記載のカラオケ装置。
【請求項７】
ユーザーの退出時刻に対応した時刻に当該ユーザーをログアウトさせるログアウト処理を実行することを特徴とする
請求項１から請求項６の何れか１項に記載のカラオケ装置。
【請求項８】
ユーザーがログインした時刻から退出時刻までの利用時間中にかかった費用を分配した分配費用を告知する費用告知処理を実行することを特徴とする
請求項１から請求項７の何れか１項に記載のカラオケ装置。
【発明の詳細な説明】
【技術分野】
【０００１】
本発明は、演奏される楽曲にあわせて歌唱を楽しむカラオケ装置に関するものであり、特に、終電時刻を取得可能なカラオケ装置に関する。
【背景技術】
【０００２】
従来、自動演奏に合わせて歌唱を楽しむカラオケが知られている。カラオケを楽しむためのカラオケ装置は、カラオケボックスあるいはスナックなどに設置され、夜の社交にて利用されることが多い。また、飲み会の二次会で利用されることが多く、カラオケを終えたときには終電間際、あるいは、終電時間を過ぎてしまうことがある。
【０００３】
特許文献１には、カラオケを利用している店舗の位置を示す店舗情報から、その最寄り駅における利用者にとっての終電情報を通報するカラオケシステムが開示されている。このようなカラオケシステムによれば、終電が到来する前に利用者はディスプレイ画面に表示される終電情報を確認することが可能となる。
【先行技術文献】
【特許文献】
【０００４】
【特許文献１】特開２００７−１０９９８号公報
【発明の概要】
【発明が解決しようとする課題】
【０００５】
特許文献１に開示されるカラオケシステムでは、ユーザーは終電時刻などの終電情報を確認することが可能である。カラオケボックスにおいて知り合いであるユーザー同士がカラオケを楽しむ場合、各ユーザーの自宅は異なることが多い。そのため、各ユーザーに対する終電時刻も異なることとなる。このような場合、各ユーザーがカラオケボックスから退出して自宅に帰らなければならない時刻も一様ではない。このような場合、各ユーザーの利用時間は一様とはならず、利用時間中に歌唱できた曲数に差が生じた場合、ユーザー間に不公平感が生じることが考えられる。また、終電時刻が到来したことで帰宅しなければならないユーザーは、他のユーザーを残したまま帰宅しなければならないという気まずさが残る場合もある。
【課題を解決するための手段】
【０００６】
本発明に係るカラオケ装置は、このような課題を解決するため、各ユーザーの終電時刻に応じて、予約された楽曲の演奏順序を変更することで、ユーザー毎に異なる利用時間の違いによる歌唱曲数や、帰宅間際の気まずさなどを解消することを目的としている。
【０００７】
そのため、本発明に係るカラオケ装置は、
入力手段と、演奏手段と、制御手段を備えたカラオケ装置であって、
入力手段は、ユーザーからの各種入力を受付可能とし、
演奏手段は、演奏情報に基づいて演奏を実行可能とし、
制御手段は、
入力手段から入力されるユーザー識別情報に基づいてユーザーをログインさせるとともに、自宅位置関連情報を含むユーザー情報を取得するログイン処理と、
取得したユーザー情報に含まれる自宅位置関連情報と、店舗位置関連情報に基づいて、ユーザーの終電時刻と、終電時刻に対応した退出時刻を取得する時刻取得処理と、
入力手段からログインしたユーザーによって楽曲が指定された場合、指定したユーザーのユーザー識別情報と、指定された楽曲に対応する楽曲識別情報を含む予約情報を予約テ
ーブルに記憶させる楽曲指定処理と、
時刻取得処理で取得したユーザーの退出時刻に基づいて、予約テーブルにおける当該ユーザーに対応した予約情報の順序を変更する演奏順序変更処理と、
予約テーブルに記憶する予約情報に基づいて、演奏手段に演奏を実行させる演奏処理と、を実行することを特徴とする。
【０００８】
さらに本発明に係るカラオケ装置において、
演奏順序変更処理は、ユーザーによって指定され、演奏手段で演奏される楽曲数が、当該ユーザーがログインした時刻から退出時刻までの利用時間に応じた楽曲数となるように予約情報の順序を変更することを特徴とする。
【０００９】
さらに本発明に係るカラオケ装置において、
演奏順序変更処理は、ユーザーの退出時刻から所定時間前から実行されることを特徴とする。
【００１０】
さらに本発明に係るカラオケ装置において、
演奏順序変更処理は、ユーザーによって指定された楽曲に対応する演奏情報が、当該ユーザーの退出時刻の直前に演奏終了するように予約情報の順序を変更することを特徴とする。
【００１１】
さらに本発明に係るカラオケ装置は、
演奏情報変更処理において、ユーザーによって指定された楽曲に対応する予約情報が予約テーブルにない場合、当該ユーザーに対して楽曲の予約を促す楽曲催促処理を実行することを特徴とする。
【００１２】
さらに本発明に係るカラオケ装置は、
時刻取得処理で取得した終電時刻を、対応するユーザーに告知する終電告知処理を実行することを特徴とする。
【００１３】
さらに本発明に係るカラオケ装置は、
ユーザーの退出時刻に対応した時刻に当該ユーザーをログアウトさせるログアウト処理を実行することを特徴とする。
【００１４】
さらに本発明に係るカラオケ装置は、
ユーザーがログインした時刻から退出時刻までの利用時間中にかかった費用を分配した分配費用を告知する費用告知処理を実行することを特徴とする。
【発明の効果】
【００１５】
終電に間に合うようカラオケを利用している店舗から退出する場合、各ユーザー毎に退出すべき時刻は異なることが予想される。本発明のカラオケ装置によれば、このような退出すべき時刻に応じて、予約テーブル中の演奏順序を変更することで、終電時刻を迎えることで退出しなければならないユーザーに対する楽曲演奏の調整を図ることが可能となる。
【００１６】
さらに本発明のカラオケ装置によれば、ユーザーがログインした時刻から終電に対応した所定時刻までの利用時間に応じて演奏順序を変更することで、各ユーザーに対し、その利用時間に応じた楽曲数を歌唱させることが可能となる。このような構成により、複数ユーザー間での利用時間の差による歌唱楽曲数の差を抑え、複数ユーザー間での不公平感を解消することが可能となる。
【００１７】
さらに本発明のカラオケ装置によれば、演奏順序変更処理を、ユーザーの終電時刻から所定時間前から実行することとしている。このような構成により、終電時刻が近くなったユーザーは、利用時間に応じた楽曲数を歌唱した上で退出することが可能となる。
【００１８】
さらに本発明のカラオケ装置によれば、ユーザーの終電時刻に対応した所定時刻の直前に演奏が終了するよう演奏順序を変更することとしている。このような構成によれば、終電を理由として店舗から退出しなければならないユーザーは、その退出直前に１楽曲を歌唱して退出することが可能となる。したがって、他のユーザーが歌唱中に退出しなければならないといった気まずさを解消することが可能となる。
【００１９】
さらに本発明のカラオケ装置によれば、ユーザーが退出直前に歌唱すべき楽曲が予約されていない場合、当該ユーザーに対して楽曲の予約を促す楽曲催促処理を実行することとしている。楽曲催促処理によって楽曲を予約させることで、店舗を退出する直前に楽曲が演奏されることとなる。
【００２０】
さらに本発明のカラオケ装置によれば、終電時刻をユーザーに告知することで、ユーザーは、自己の終電時刻を確認することが可能となる。
【００２１】
さらに本発明のカラオケ装置によれば、ユーザーの終電に対応した時刻に当該ユーザーをログアウトさせることで、ユーザーは自分でログアウト処理を行う必要が無い。このような構成により、終電が近くなったことでログアウトすることを忘れたユーザーに対しても自動でログアウトさせることが可能となる。
【００２２】
さらに本発明のカラオケ装置によれば、各ユーザーの利用時間に応じた分配費用を告知することで、終電時刻が異なることを理由にユーザー間で利用時間が異なる場合においても、かかった費用を公平に分配することが可能となる。
【図面の簡単な説明】
【００２３】
【図１】本発明の実施形態に係るカラオケシステムの構成を示す図
【図２】本発明の実施形態に係るトップ画面を示す図
【図３】本発明の実施形態に係るユーザー情報を示す図
【図４】本発明の実施形態に係るユーザーに対するサービス処理を示す図
【図５】本発明の実施形態に係るアクティブユーザートップ画面を示す図
【図６】本発明の実施形態に係る予約テーブルを示す図
【図７】本発明の実施形態に係る終電関連処理を示すフロー図
【図８】本発明の実施形態に係るカラオケ店舗と最寄り駅の位置関係を示す図
【図９】本発明の実施形態に係る演奏順序変更処理を説明するための図
【図１０】本発明の実施形態に係る告知画面を示す図
【図１１】本発明の他の実施形態に係る演奏順序変更処理を説明するための図
【図１２】本発明の他の実施形態に係る告知画面を示す図
【図１３】本発明の実施形態に係る記録紙に印刷した終電関連情報を示す図
【発明を実施するための形態】
【００２４】
図１は、本発明の実施形態に係るカラオケシステムの構成を示す図である。本実施形態におけるカラオケシステムは、コマンダ２（カラオケ装置）と、リモコン装置１にて構成されており、これらは、ＬＡＮ１００にて、無線、有線で互いに通信可能なように接続されている。
【００２５】
店舗に設置されるコマンダ２は、リモコン装置１（例えば、１ａ、１ｂ）を使用することで、ユーザーからの各種指示を受け付けることが可能となっている。また、リモコン装
置１は、表示部１１と操作部１７が共有されたタッチパネル表示画面を備え、ユーザーに対して各種情報の提供や、操作入力することが可能とされている。リモコン装置１は、ＬＡＮ１００上に設置されたアクセスポイント１１０ａを介してコマンダ２と無線接続される。図中に破線で示されるように、例えばコマンダ２ａにはリモコン装置１ａと１ｂが対応付けられ、ＬＡＮ１００ａを介して情報を送受信することが可能となっている。また、リモコン装置１とコマンダ２とは赤外線などを利用した近距離通信を行うことも可能である。
【００２６】
さらに、本実施形態のカラオケシステムでは、ユーザーに各種サービスを提供するためインターネットを介したホスト５（サーバ装置）が設けられ、楽曲情報やユーザー情報など、各種サービスに必要な情報を記憶している。そして、ルータ１２０を通じて、コマンダ２、又はリモコン装置１ａと、前述した情報の送受信を可能としている。
【００２７】
また、インターネット上には、経路探索用ホスト６が設けられている。この経路探索用ホスト６は、指定された始点から終点までの各種交通機関を利用した経路を探索することができるホストであって、カラオケシステムを運営する業者、あるいは、他の業者によって運営されている。経路の始点、終点には、住所、施設名もしくは駅などを指定することが可能である。経路探索を要求する側は、始点と終点などを含む要求情報をこの経路探索用ホスト６に送信し、経路探索用ホスト６は、受信した要求情報に基づいて電車など各種交通機関を使用した経路、並びに、その乗車時刻などを算出し、指定側に返信する。
【００２８】
特に、本実施形態の経路探索用ホスト６は、指定した終点に到着する最後の電車に乗車するための、始点で乗車すべき電車（終電）の発車時刻（終電時刻）を算出することが可能とされている。また、始点として駅以外の住所や施設名が指定された場合には、乗車すべき駅までの経路、並びに、当該駅までの徒歩による所要時間などを算出することとしてもよい。
【００２９】
コマンダ２は、全体を統括制御する制御部３０を中心として機能し、主な機能として、楽曲演奏処理、映像表示処理、楽曲指定処理などを実行可能としている。楽曲演奏処理は、入力部２１やリモコン装置１にて、ユーザーにより指定された楽曲に対応する演奏情報をＭＩＤＩ音源を含んで構成される音響制御部７０にて演奏させ、スピーカー４２から放音させる処理である。このとき、スピーカー４２からは歌唱用マイク４４ａ、４４ｂから入力される音声も合わせて放音される。映像再生処理は、映像再生部２９にて各種映像情報、歌詞情報などを再生させ、外部モニタ４１を介した視覚情報をユーザーに提供する処理である。
【００３０】
楽曲指定処理は、ユーザーからの指定に基づいて楽曲を選択、予約するための処理である。本実施形態ではリモコン装置１と連携して実行することとなる。リモコン装置１の操作部１７から入力されたユーザーの指令は、赤外線通信部１９、２３、あるいは、ＬＡＮ１００を介してコマンダ２に伝達される。コマンダ２での処理結果は、リモコン装置１側の表示部１１に表示され、ユーザーは選曲のための各種情報を視認することが可能である。コマンダ２とリモコン装置１は、この楽曲指定処理に限らず、ユーザー個別のサービスを提供するためのログイン処理など各種処理を実行することが可能である。
【００３１】
図２は、本発明の実施形態に係るトップ画面、すなわち、リモコン装置１を起動した直後の画面を示す図である。本実施形態では、リモコン装置１の表示部１１に表示を行うことで、リモコン装置１を操作するユーザーに対して各種情報を提供する。なお、リモコン装置１の操作部１７としては、カーソルキーなどの各種機械的なスイッチの他、表示部１１に表示されたボタン、アイコンなどを直接タッチして操作を行うタッチパネルを採用することができる。
【００３２】
本実施形態のカラオケシステムは、複数のユーザーが各リモコン装置１のタッチパネル表示画面から必要な情報（後述するユーザＩＤやパスワード）を入力し、ログインすることが可能となっている。ユーザーのログインに関する情報は画面上方に常時表示される。ログインしたユーザーの分身像（アバター）を表示するためのログインユーザー欄１０３が設けられている。なお、分身像としては、人、キャラクターを模した像の他、図形や記号など各種形態を採用することができる。
【００３３】
また、アカウントを有していないユーザーのためのゲストアイコン１０２、ユーザーを切り替えるためのユーザー切替スイッチ１０１が表示されている。ログインしたユーザーは、ログインユーザー欄１０３に表示される分身像を選択、あるいは、ユーザー切替スイッチ１０１を操作することで、自分のユーザー情報を利用した各種サービスを受けることが可能となる。また、アカウントを有していないユーザーは、ゲストアイコン１０２を操作することで、選曲など一般的なサービスを受けることが可能となっている。なお、ユーザーの切替の際には、パスワードなど認証を行うこととしてもよいが、認証を行うことなく簡易に切り替えることとしてもよい。
【００３４】
図３は、各ユーザー毎に、カラオケ用ホスト５に記憶されたユーザー情報を説明するための図である。このユーザー情報は、カラオケ用ホスト５の記憶部５１に予め記憶されている。ユーザー情報中の各種情報は、カラオケシステムの利用に応じて随時更新される、あるいは、リモコン装置１からの入力に応じて更新することが可能である。あるいは、インターネットなどのネットワークに接続された図示しないパーソナルコンピュータ、携帯情報端末などからログインして設定することも可能である。
【００３５】
本実施形態では、ユーザー情報として、個人情報、十八番テーブル、履歴テーブルといったユーザーに関する各種情報を含んで構成される。個人情報には、ユーザーＩＤ、パスワードといったユーザーをログイン認証するためのユーザー識別情報が含まれている。この他、個人情報には、ユーザー名（ユーザー名（実際の名前に限ったものでなく、ニックネームであってもよい）、性別、年齢、自宅位置関連情報が含まれている。この自宅位置関連情報は、自宅の住所、あるいは、帰宅する際の利用駅（自宅の最寄り駅など）など、終電を探索するために必要とされる自宅の位置に関連した情報である。利用駅は複数登録しておくことも可能である。
【００３６】
十八番テーブルは、ユーザーにより登録された楽曲が掲載されたテーブルであって、楽曲識別子、音程情報、採点情報（最高点）などを含んで構成されている。また、履歴テーブルは、ユーザーがこれまでに選曲した履歴が掲載されたテーブルであって、楽曲識別子、歌唱日時、歌唱位置（歌唱店舗）、採点情報などを含んで構成されている。ユーザーは、これら十八番テーブル、履歴テーブルを利用して、登録した楽曲、あるいは、過去に歌唱した楽曲を迅速に演奏させることが可能である。
【００３７】
図４は、このユーザー情報の送受信の様子を示した図である。カラオケ店舗に来店したユーザーは、自己のユーザーＩＤとパスワードを含んで構成されたユーザー識別情報を入力、あるいは、リモコン装置１などに設けられたＩＣカードリーダーでＩＣカードに記憶されているユーザー識別情報を読み取らせることで認証処理Ｓ１０１を実行する。ユーザー識別情報を読み取った、コマンダ２あるいはリモコン装置１は、識別情報をカラオケ用ホスト５に送信する（Ｓ１０２）。ユーザー識別情報を受信したカラオケ用ホスト５は記憶部５１に記憶されたデータベースから、該当するユーザーのユーザー情報を抽出し（Ｓ１２１）、問い合わせのあったコマンダ２あるいはリモコン装置１に対して送信する（Ｓ１２２）。
【００３８】
ユーザー情報を受信したコマンダ２側では（Ｓ１０３）、受信したユーザー情報に基づいて、選曲指定処理、楽曲演奏処理など各種サービス処理が提供される（Ｓ１０４）。ユーザーによりログアウトが要求される（Ｓ１０５）とサービス処理を中断し、サービス処理中における各種履歴（ログ）、あるいは、ユーザーによる設定変更を反映したユーザー情報をカラオケ用ホスト５に送信する（Ｓ１０６）。ここで、ユーザー情報は、全ての情報を送信することの他、更新された差分だけを送信してもよい。カラオケ用ホスト５では、受信したユーザー情報に基づいて記憶部１に記憶されたデータベースの更新を実行する（Ｓ１２４）。
【００３９】
以上、１ユーザーが認証処理（ログイン）してから、ログアウトするまでの流れを説明したが、本実施形態のコマンダ２、リモコン装置１は、認証された複数人（認証ユーザー）が同時にログインした状態で使用することが可能となっており、図２で説明したユーザーインターフェイスを用いることで、サービスを提供するユーザー（以下、「アクティブユーザー」という）を切り替えて使用することが可能となっている。
【００４０】
図５は、本発明の実施形態に係るアクティブユーザートップ画面を示す図である。この図に示されるように、複数人がログインした状態ではログインユーザー欄１０３にログインしたユーザーの分身像１０３ａ〜１０３ｄ（本実施形態では顔部分）が表示される。またログインユーザー欄１０３中、右端に背景がハイライトで示されるユーザーは、アクティブユーザー１０３ｄであって、図に示す状態では、このアクティブユーザー１０３ｄに対するサービス、すなわち、アクティブユーザー１０３ｄのユーザー情報を利用したサービスが実行されている状態となっている。
【００４１】
このアクティブユーザートップ画面では、「曲を探す」を選択することで、従来の歌本と同様、歌手名、楽曲名に基づく検索を行うことができる。また、この「曲を探す」においては、図３で説明したユーザー情報中の十八番テーブル、履歴テーブルを利用して、ユーザーが前もって登録しておいた楽曲、あるいは、過去に歌唱した楽曲の中から選曲することが可能となっている。
【００４２】
図６は、本発明の実施形態に係る予約テーブルを示す図である。リモコン装置１を利用して、ログインしたユーザーによる楽曲指定処理が実行されると、リモコン装置１からコマンダ２に対して予約情報が送信される。この予約情報には予約した楽曲の楽曲識別子、音程変更するためのキー調整値、予約したユーザーのユーザーＩＤを含んで構成される。コマンダ２は、受信した予約情報を、メモリ２７などに記憶する予約テーブルに順次、登録していく。そして、コマンダ２は、この予約テーブルに基づいて演奏処理を実行する。
【００４３】
予約テーブル中には、図６に示されるように予約順序に対応付けられて、予約情報が記憶される。ここでは、説明のため予約された各楽曲について、その演奏時間を記載している。この演奏時間は、楽曲識別子に基づいて楽曲関連情報を参照して読み出すことができる。演奏処理は、演奏ポインタを順次進めることで、該当する楽曲識別子に対応する演奏情報を読み出し、演奏手段としてのＭＩＤＩ音源２６などに演奏させる。図の例では３番目に予約された楽曲が演奏中であることを示している。また、次回に予約された楽曲は、予約順序が５番目の楽曲として管理される。
【００４４】
では、本発明の実施形態に係る終電関連処理について説明する。図７は、本発明の実施形態に係る終電関連処理を示すフロー図である。本実施形態の終電関連処理は、各ユーザー毎に、当該ユーザーがログインしたことを条件として開始される処理であって、コマンダ２で実行される処理である。
【００４５】
あるユーザーがログインした場合、まず、Ｓ２０１において、ユーザーに対して終電関
連処理を利用するか否かについて確認が行われる。この確認は、ユーザーが使用しているリモコン装置１の表示部１１などにメッセージを表示させ、確認のための意思表示を操作部１７などを介して入力させることで実行される。操作部１７などから入力された意思表示により、終電関連処理を続行する場合（Ｓ２０２：Ｙｅｓ）には、Ｓ２０３以降の処理が実行される。一方、終電関連処理を続行しない場合（Ｓ２０２：Ｎｏ）には処理を終了する。
【００４６】
終電の告知など終電関連処理を必要としないユーザーがいる場合がある。このように本実施形態では、ユーザーがログインしたときに、終電関連処理の実行の有無を選択させることで、終電の告知など終電関連処理を必要とするユーザーに対してのみ、この終電関連処理を続行することが可能となる。なお、終電関連処理自体の実行は、所定の時間帯、例えば、所定時間帯のみに実行することとしてもよい。例えば、夜１０時〜朝２時の所定時間帯のみに実行するようにすることで、ユーザーに対して不必要な告知を行うことがない。
【００４７】
ユーザーに対する終電告知処理の続行が選択された場合（Ｓ２０２：Ｙｅｓ）には、当該ユーザーのユーザー情報から自宅位置関連情報が取得される（Ｓ２０３）。前述したようにこの自宅位置関連情報は、ユーザーの自宅の住所、あるいは、利用駅など、経路を探索する際の終点となる情報である。また、コマンダ２は、ハードディスク３２などの記憶手段に店舗位置関連情報を記憶している。この店舗位置関連情報は、コマンダ２が設置されているカラオケ店舗の位置に関連した情報であり、カラオケ店舗の住所、あるいは、近傍駅など、経路を探索する際の始点となる情報である。
【００４８】
コマンダ２は、店舗位置関連情報を探索経路の始点に、また、ユーザーの自宅位置関連情報を探索経路の終点に設定して、インターネット上に接続された経路探索用ホスト６に問い合わせを行う（Ｓ２０４）。経路探索用ホスト６は、受信した情報に基づいて記憶部６１に記憶している時刻表などを参照することで経路を探索し、問い合わせのあったコマンダ２に対して帰宅経路情報を返信する（Ｓ２０５）。この経路情報には、ユーザーが帰宅する際、カラオケ店舗の近傍駅で電車に乗車すべき時刻である終電時刻が少なくとも含まれている。経路情報には、終電時刻以外に、乗り換え駅や乗り換え駅での乗り換え時刻などを含んで構成することとしてもよい。
【００４９】
コマンダ２は、経路探索用ホスト６から取得した帰宅経路情報中、終電時刻に基づいて、ユーザーがカラオケ店舗を退出すべき時刻である退出時刻を算出する（Ｓ２０５）。図８には、本発明の実施形態に係るカラオケ店舗と最寄り駅の位置関係が示されている。図に示されるようにカラオケ店舗から最寄り駅までの間には、距離を有することが殆どである。図の例ではカラオケ店舗から最寄り駅まで、徒歩で約１０分必要とされている。退出時刻は、カラオケ店舗を退出してから最寄り駅で電車に乗車するまでに必要とされる時間を考慮した時刻である。この場合、終電時刻よりも少なくとも１０分前に退出時刻が設定されることとなる。
【００５０】
この退出時刻は、カラオケ店舗から最寄り駅までの所要時間をコマンダ２に設定しておくことで算出することが可能である。この他、経路探索用ホスト６に対し、カラオケ店舗の住所などを送信することで、カラオケ店舗から自宅までの経路を探索させる場合には、経路探索用ホスト６から退出時刻を取得することも可能である。
【００５１】
本実施形態では、Ｓ２０６で算出された退出時刻を、以降の処理を実行するタイミングの基準として使用している。Ｓ２０７では、退出時刻から第１所定時間（例えば１時間）前となったか否かを判定する。第１所定時間前となった場合（Ｓ２０７：Ｙｅｓ）には、演奏順序変更処理（Ｓ２０８）が開始される。この演奏順序変更処理は、前述した予約テ
ーブル中の予約順序を変更する処理であり、その予約順序の変更には各種形態が考えられる。なお、この演奏順序変更処理は、第１所定時間経過を条件とすることなく、ユーザーがログインしたことを条件として開始されることとしてもよい。
【００５２】
図９は、本発明の実施形態に係る演奏順序変更処理を説明するための図である。この演奏順序変更処理では、各ユーザーがログイン時刻から退出時刻までの利用時間と、その利用時間内の利用人数、すなわち、ログインしたユーザー数に応じて、各ユーザーが利用時間中に歌う楽曲数が決定される。コマンダ２の制御手段は、決定された楽曲数に応じて予約テーブル中の予約情報の順序を変更する。具体的には、各ユーザーの利用時間に対し、公平となるように予約情報の順序が変更される。
【００５３】
図９（ａ）は、予約順序を変更する前の予約リスト中、予約したユーザーの並びを示した図である。この場合、利用ユーザーはＡさんからＤさんの４人となっており、２２：００〜２４：００までの２時間の室利用となっている。Ａさんについては終電時刻の関係から２３：００に退出時刻を迎えることとし、Ｂさんについては２３：３０に退出時刻を迎えることとしている。したがってＡさんの利用時間は１時間、Ｂさんの利用時間は１時間３０分であることが分かる。
【００５４】
まず、Ａさんに着目して考えてみる。本実施形態では、１楽曲歌唱するのに必要な時間を概算見積もった形態としている。ここでは１時間に８楽曲歌唱することが見積もられている。４人で歌唱する場合、同じ楽曲数を歌唱するという公平さの観点からすると、１時間中、２楽曲歌唱するべきである。図９（ａ）では、Ａさんが２番目に予約した楽曲は２３：００以降の演奏となることが予想される。そのため、この演奏順序変更処理では、この２番目に予約した楽曲の演奏順序を図９（ｂ）に示されるように繰り上げることで、Ａさんが退出時刻までに２楽曲歌唱できるよう変更している。
【００５５】
一方、２３：３０に退出時刻を迎えるＢさんに着目して考えてみる。この場合、１時間３０分中には、１２楽曲歌唱できることが予想される。この１２楽曲からＡさんが歌唱した２楽曲を差し引いた１０楽曲が、Ｂ、Ｃ、Ｄさんで歌唱できる楽曲数となる。平均すると約３．３楽曲となるが、ここでは端数を切り捨てて３楽曲としている。図９（ａ）の予約順では、退出時刻の２３：３０までにＢさんは２楽曲歌唱することが可能となっており、２３：３０以降に１楽曲予約されていることが分かる。したがって、２３：３０以降に演奏される楽曲を繰り上げることで、Ｂさんが退出時刻までに３楽曲歌唱することが可能となる。
【００５６】
Ａさん、Ｂさんの楽曲を繰り上げる場合、退出時刻に十分間に合うよう繰り上げることが必要とされる。本実施形態では、１楽曲歌唱するのに必要とされる平均時間を使用したが、図６で説明したように、予約された各楽曲の実際の演奏時間を使用して、各ユーザーの利用時間に応じた楽曲数となるよう演奏順序を変更することとしてもよい。また、退出時刻までに各ユーザーが予約した楽曲数が、歌唱すべき楽曲数を超える場合には、予約を受け付けない構成を採用することとしてもよい。
【００５７】
以上、演奏順序変更処理の一例について説明したが、本実施形態の演奏順序変更処理では、各ユーザーによって異なる退出時間によって変動する利用時間に応じて、歌唱する楽曲数が割り当てられるため、ユーザー間の不公平感の緩和を図ることが可能となる。
【００５８】
図７の終電関連処理のフロー図に戻り、Ｓ２０９では、退出時刻から第２所定時間前であるか否かが判定される。この第２所定時間は、終電告知処理を実行するために設定された時間であって、例えば１〜３分程度の短い時間に設定される。退出時刻から第２所定時間前であることが判定された場合（Ｓ２０９：Ｙｅｓ）、終電告知処理（Ｓ２１０）と、
費用告知処理（Ｓ２１１）が実行される。
【００５９】
図１０には、終電告知処理（Ｓ２１０）にて外部モニタ４１に表示される告知画面が示されている。この告知画面は、ユーザーに終電に間に合うよう退出を促す画面であって、本実施形態では、終電時刻、退出時刻、帰宅経路が表示されている。都心などでは帰宅経路が複数存在する場合が考えられるため、終電時刻にはその乗車駅を対応付けて表示することが好ましい。退出時刻は、前述したようにカラオケ店舗から終電の乗車駅までにかかる時間を考慮した時刻となっている。また、帰宅経路には乗り換え駅そして乗り換え時刻を含んで表示することとしている。このような告知画面を外部モニタ４１に表示することで、ユーザーは帰宅すべき時刻であることを確認することが可能となる。
【００６０】
終電告知処理は、このようにコマンダ２の外部モニタ４１に表示する以外に、リモコン装置１に表示させることも可能である。例えば、図２に示されるリモコン装置１のトップ画面など、ユーザーのログイン状態に関係なく、全てのユーザーが視認可能な画面中に表示させることが考えられる。あるいは、図５のアクティブユーザートップ画面にて、終電時刻の告知対象となるアクティブユーザーに限定して表示させることとしてもよい。さらには、ユーザー情報中にメールアドレスが登録されている場合には、当該メールアドレスにメッセージを送信して告知することとしてもよい。また、ユーザー情報中に携帯電話番号が登録されている場合には、当該携帯電話番号に電話をかけて終電が近いことを知らせる自動メッセージを再生することとしてもよい。携帯電話番号を使用する場合、ショートメールを利用することで、メールと同様のメッセージを送信することも考えられる。
【００６１】
さらに本実施形態では、この告知画面と一緒にあるいは別のタイミングで費用告知処理（Ｓ２１１）を実行することとしている。この費用告知処理では、各ユーザーの利用時間に応じてかかった室料が均等に分配され、外部モニタ４１などに表示される。例えば、カラオケの室料が１時間あたり、１人８００円の料金である場合、最初に４人で２時間予約すると会計時の室料は６４００円となる（通常、途中退出して人数が減った場合も入店最初の人数で計算される）。ここで、Ａさんに着目し、Ａさんの終電告知時（２３：００前）に、飲食代が２０００円だった場合、Ａさんに告知する費用は、８００円×２時間＋（２０００円÷４人）＝２１００円となる。
【００６２】
また、別の計算例として、Ａさんが１時間で帰ってしまうことを鑑み、実際は退出して利用できない時間に応じて割引負担することとしても良い。一例として、Ａさんは、実際は１時間分（８００円）余計に室料を支払っているので、８００円×１時間＋（２０００円÷４人）＝１３００円としても良い。あるいは、室料はそのまま支払うかわりに、飲食代を割り引くとしても良い。この場合、例えば、総利用時間のどれだけ実際に居られたかによって、飲食代の割引率が決まることとし、Ａさんは５０％しか入れなかったので、割引率も５０％で、８００円×２時間＋（２０００円÷４人×０．５）＝１８５０円などとしてもよい。このように告知する費用には、各種算出方法が考えられるが、予め決められた算出方法を用いて算出された費用を告知することとしてもよいし、ユーザーに算出方法を選択させ、選択された算出方法による費用を告知することとしてもよい。
【００６３】
終電時刻の到来を理由に退出するユーザーは、自分の利用時間に応じた費用をその場で、あるいは、事後的に支払うことが可能となり、費用の面においても不公平感を抑制することが可能となる。なお、この費用としては室料のみならず、オーダーした飲食物を含めることとしても良い。費用の算出は、コマンダ２と同じネットワーク上に接続されたＰＯＳなど店舗側の費用管理手段にて算出することが可能である。
【００６４】
以上、終電告知処理（Ｓ２１０）、費用告知処理（Ｓ２１１）の告知画面を確認したユーザーは、リモコン装置１を利用してログアウトした後に、退出することとなるが、終電
時刻が近づいている状況では、ログアウトをせずに退出することが考えられる。本実施形態では、このような状況を鑑み、退出時刻から第３所定時間（例えば１０分）が経過した場合、自動でログアウトさせるログアウト処理（Ｓ２１４）を実行することとしている。本実施形態においては、ユーザーがログアウトしなかったこと（Ｓ２１２：Ｎｏ）と、退出時刻から第３所定時間経過したこと（Ｓ２１３：Ｙｅｓ）を条件として、このログアウト処理（Ｓ２１４）を実行することとしている。ログアウト処理（Ｓ２１４）を実行することで、ログアウトすることを忘れて退出したユーザーも安心して帰宅することが可能となる。
【００６５】
以上、本発明の実施形態に係る終電関連処理について説明したが、本終電関連処理では、特に、取得した終電時刻に対応する退出時刻に基づいて、演奏順序変更処理（Ｓ２０８）を実行することで、ユーザー間で公平に楽曲を歌唱することが可能となっている。さらには終電告知処理（Ｓ２１０）、費用告知処理（Ｓ２１１）、ログアウト処理（Ｓ２１４）を実行することで、早期に退出するユーザーに対する各種便宜が図られている。
【００６６】
また、本実施形態では、Ｓ２０１において各ユーザー毎に終電関連処理の実行の可否を問い、実行を許可したユーザーに対してのみ、Ｓ２０２〜Ｓ２１４の終電関連処理の主要部を実行させることとしているが、一連の終電関連処理の実行には、以下に示す（１）、（２）など各種形態を採用することが可能である。
【００６７】
（１）グループ単位での設定
例えば、カラオケボックスなどのユーザーが集う状況下において、何れかのユーザーが終電関連処理モードを選択した場合、同じコマンダ２を使用している全てのユーザーに対して終電関連処理が実行させることとしてもよい。このような場合、終電関連処理は、その処理が終了する、あるいは、ユーザーにより終電関連処理モードが取り消されるまで実行される。
（２）コマンダ単位での設定
あるいは、終電関連処理を実行する毎にユーザーが選択することに代え、コマンダ２毎に、この終電関連処理をオン／オフに切り替え可能としてもよい。この場合、コマンダ２あるいはリモコン装置１に設けられた機械的スイッチ、あるいは、プログラムにおける設定によってオン／オフが切り替えられる。オン状態に切り替えられたコマンダ２では、ユーザーに選択させることなく、一連の終電関連処理が実行される。
【００６８】
また、本実施形態の終電関連処理には、演奏順序変更処理（Ｓ２０８）、終電告知処理（Ｓ２１０）、費用告知処理（Ｓ２１１）、自動ログアウト処理（Ｓ２１２〜Ｓ２１４）といった複数の機能が含まれているが、これら各機能毎に、その実行の可否を選択可能としてもよい。この場合、図７のＳ２０１において各機能を選択させる、あるいは、上述する（１）グループ単位での設定、（２）コマンダ単位での設定などの形態を組み合わせて使用することが考えられる。
【００６９】
前述した演奏順序変更処理では、ユーザー間で利用時間に応じた楽曲数を公平に歌唱することを可能とするものであった。演奏順序変更処理は、このような形態のみならず各種形態を採用することが可能である。図１１には、本発明の他の実施形態に係る演奏順序変更処理を説明するための図が示されている。本実施形態では、退出を迎えるユーザーが、退出前に楽曲を歌唱することを可能とするものである。この図は、図９と同様、Ａさん〜Ｄさんの４人が２２：００〜２４：００の時間帯を利用した場合となっている。また、退出時刻についても、Ａさんは２３：００、Ｂさんは２３：３０となっている。
【００７０】
まず、Ａさんに着目して考えてみる。演奏処理では、予約テーブル中の予約順にしたがって演奏が進められることになるが、Ａさんの退出時刻である２３：００が到来する直前
にＡさんが予約した楽曲を割り込ませるように曲順を変更することとしている。この実施形態では、Ａさんの予約した楽曲の演奏時間に基づいて、Ａさんの退出時刻である２３：００までに当該楽曲の演奏が終了するよう、前倒しに曲順が変更される。例えば、Ａさんの退出時刻２３：００以降に演奏開始がされるであろうＡさんの予約曲の演奏時間が５分であった場合、Ａさんの歌唱は２３：２５分より前には開始されなければならない。この場合、所定時間前になったとき、現在予約されている曲の演奏時間を合計し、２３：２５分に演奏されていると思われる曲を特定する。そして、その曲の前にＡさんの予約曲が挿入される。
【００７１】
図１２には、この退出前に演奏される楽曲の開始画面が示されている。通常の開始画面では、楽曲タイトル、作詞者名、作曲者名といった楽曲に関連する各種情報が外部モニタ４１に表示されることとなるが、本実施形態では、Ａさんに対し、最後に歌唱する楽曲であること、並びに終電時刻と乗車駅など終電に関する告知を含んだ画面構成となっている。楽曲の演奏進行に従い、開始画面から歌詞を表示する画面に移行することとなるが、移行後においても、この終電に関する告知を残すことで、さらに確実に、Ａさんに対する退出を促すことが可能となる。
【００７２】
Ｂさんの場合も同様であって、Ｂさんの退出時刻である２３：３０が到来する直前に、Ｂさんの予約した楽曲の演奏が終了するように、予約テーブル中に存在するＢさんの予約した楽曲の曲順が変更される。この場合、Ｂさんの予約した楽曲の演奏時間に基づいて、Ｂさんの退出時刻である２３：３０までに当該楽曲の演奏が終了するよう、後倒しで曲順が変更される。
【００７３】
本実施形態では、退出時刻の前に演奏される楽曲は、ユーザーの退出時刻の最も近傍で演奏が予定される楽曲を選択することとしている。また、退出を迎えるユーザーの予約楽曲が予約テーブル中に存在しない場合が考えられる。その場合、当該ユーザーに対して最後に歌唱する楽曲の予約を催促する表示を、リモコン装置１の表示部１１、あるいは、コマンダ２の外部モニタ４１などに表示させる楽曲催促処理を実行することとしてもよい。この楽曲催促処理は、ユーザーの退出時刻から所定時間前のタイミングで実行される。この所定時間は、１楽曲を歌唱するのに必要な時間（例えば、７分）に対して数分程度の時間を加えることで算出される。また、催促する際には、当該ユーザーのユーザー情報を利用して、当該ユーザーの歌唱頻度の高い曲や、もっとも採点結果の高い曲などを表示して推奨することとしてもよい。
【００７４】
このように本実施形態では、カラオケを楽しむ宴会の場などにおいて、終電を理由に退出しなければならないユーザーが、退出前に楽曲を歌唱して退出することが可能となる。そのため、他のユーザーが歌唱している最中などに、急いで退出するなどの気まずい状況を避けることが可能となる。
【００７５】
以上、本実施形態の演奏順序変更処理においては、ユーザーの退出時刻の直前に、当該ユーザーの予約した楽曲の演奏が終了するように、予約テーブル中の予約情報の順序を変更することで、歌唱した後に退出時刻を迎えて退出することが可能となる。
【００７６】
前述した各実施形態において、終電に関する告知は、図１０に示される告知画面、あるいは、図１２に示される最後に歌唱する楽曲の開始画面で行うこととしているが、カラオケ店舗側が記録紙などに印刷して提供することも可能である。図１３は、本発明の実施形態に係る記録紙に印刷した終電関連情報を示す図である。この記録紙には終電関連情報として、ユーザー名、室名、終電時刻、退出時刻、帰宅経路、カラオケ店舗（現在地）から最寄り駅までの道のりを示す地図が印刷されている。
【００７７】
コマンダ２は、退去時刻が到来する前の適宜タイミングで、接続されているプリンターに対し印刷指示を送信することで、記録紙に終電関連情報の印刷させる。終電関連情報が印刷された記録紙は、退出するユーザーに提供される。
【００７８】
なお、カラオケボックスのような複数のコマンダ２を使用するカラオケボックスのような営業形態の場合、各コマンダ２にプリンターを接続することはコスト的な面から現実的とはいえない。その場合、コマンダ２が接続しているネットワーク上にプリンターを設けることで、各コマンダ２間でプリンターを共用することが可能である。例えば、カラオケボックスの受付などに設置されるＰＯＳを、コマンダ２のネットワークに接続し、ＰＯＳに接続されたプリンターを利用して、終電関連情報を印刷することが考えられる。このような場合、終電関連情報が印刷された記録紙は、カラオケ店舗の従業員によってユーザーに手渡されることとなる。そのため記録紙には、当該ユーザーが在室する室名（図では１０３号室）を印刷しておくことが好ましい。終電関連情報が印刷された場合、従業員は、印刷されている室名の部屋に記録紙を持って行くことで、終電を迎えるユーザーに手渡すことが可能となる。
【００７９】
なお、本発明はこれらの実施形態のみに限られるものではなく、それぞれの実施形態の構成を適宜組み合わせて構成した実施形態も本発明の範疇となるものである。
【符号の説明】
【００８０】
１…リモコン装置、１１…表示部、１２…ビデオＲＡＭ、１３…映像制御部、１４…メモリ、１５…制御部、１６…無線ＬＡＮ通信部、１７…操作部、１８…操作処理部、１９…赤外線通信部、２…コマンダ（カラオケ装置）、２１…操作部、２２…操作処理部、２３…赤外線通信部、２４…インターフェイス部、２７…メモリ、２８…ビデオＲＡＭ、２９…映像再生部、３０…制御部、３１…映像制御部、３２…ＨＤＤ（ハードディスク）、４１…モニタ、４２…スピーカー、４４ａ、４４ｂ…歌唱用マイク、４３…カメラ、７０…音響制御部、１００…ＬＡＮ、１１０…アクセスポイント、１２０…ルータ、５…カラオケ用ホスト、５１…記憶部、６…経路探索用ホスト、６１…記憶部
【図１】
2013190764.tif 000003
【図２】
2013190764.tif 000004
【図３】
2013190764.tif 000005
【図４】
2013190764.tif 000006
【図５】
2013190764.tif 000007
【図６】
2013190764.tif 000008
【図７】
2013190764.tif 000009
【図８】
2013190764.tif 000010
【図９】
2013190764.tif 000011
【図１０】
2013190764.tif 000012
【図１１】
2013190764.tif 000013
【図１２】
2013190764.tif 000014
【図１３】
2013190764.tif 000015